(57)【要約】【課題】  情報の入力の手間を削減し、別途の計算の手間を削減可能な、建築物の構造計算を行う構造計算支援システムおよびプログラムを提供する。【解決手段】  適正床荷重情報は、梁の種類ごとに紐づけられており、その梁が適用可能な床荷重情報の範囲が設定されている。例えば、ある床荷重の設計に適正に用いることが可能な梁の種類は限られる。床荷重に対して梁の剛性が低すぎれば構造体として成立せず、梁の剛性が高すぎれば、過剰な設計となり適切ではない。したがって、それぞれの梁ごとに、その梁を用いた構造体で設計される適正な床荷重情報の範囲が設定可能である。次に、梁選別手段で選別された梁の種類から、使用する大梁及び小梁の種類を選択する（梁種類選択手段）。利用者は、入力部３１によって、例えばプルダウンなどから、梁の型番等を選択することができる。【選択図】図５
2020126293.tif 000002
【特許請求の範囲】
【請求項１】
コンピュータによって、床スラブと鉄骨梁とを一体化した合成梁の剛性を算出可能なプログラムであって、
記憶部に、
複数の梁の種類と、それぞれの梁の種類ごとに紐づけられた適正床荷重情報と、複数のデッキプレートの種類と、それぞれのデッキプレートの種類ごとに紐づけられた適正梁種類情報と、
が記憶されたコンピュータを、
構造体の床荷重情報を入力する床荷重情報入力手段と、
前記適正床荷重情報を用いて、前記床荷重情報に適用可能な梁の種類を絞り込む梁選別手段と、
選別された梁の種類の中から、使用する梁の種類を選択する梁種類選択手段と、
前記適正梁種類情報を用いて、前記梁種類選択手段によって選択された梁の種類から、適用可能なデッキプレート種類を絞り込むデッキプレート選別手段と、
選別されたデッキプレートの種類の中から、使用するデッキプレートの種類を選択するデッキプレート種類選択手段と、
デッキプレートの種類に対応した床スラブ情報を算出または前記記憶部から取得する床スラブ情報取得手段と、
梁の種類と床スラブ情報に基づいて、梁と床スラブとを合成した合成梁の剛性情報を算出する剛性情報算出手段と、
前記合成梁の剛性情報を出力する剛性情報出力手段、として機能させることを特徴とするプログラム。
【請求項２】
前記記憶部には、梁の種類ごとに大梁及び小梁として使用可能なそれぞれの前記適正床荷重情報が紐づけされて記憶されており、
前記梁選別手段は、前記適正床荷重情報を用いて、前記床荷重情報に適用可能な大梁としての梁の種類と、小梁としての梁の種類とをそれぞれ絞り込み、
前記梁種類選択手段は、選別された梁の種類の中から、使用する大梁及び小梁をそれぞれ選択することを特徴とする請求項１記載のプログラム。
【請求項３】
前記梁種類選択手段は、前記梁選別手段で絞り込まれた大梁としての梁の種類の中から、大梁として使用する梁の種類を選択可能であるとともに、前記梁選別手段で絞り込まれた小梁としての梁の種類であって、かつ、大梁として選択された梁の種類よりも断面の小さな梁の種類の中から小梁として使用する梁の種類を選択可能であることを特徴とする請求項２記載のプログラム。
【請求項４】
コンピュータによって、床スラブと鉄骨梁とを一体化した合成梁の剛性を算出可能なプログラムであって、
記憶部に、
複数のデッキプレートの種類と、それぞれのデッキプレートの種類ごとに紐づけられた適正床荷重情報と、複数の梁の種類と、それぞれの梁の種類ごとに紐づけられた適正デッキプレート種類情報と、
が記憶されたコンピュータを、
構造体の床荷重情報を入力する床荷重情報入力手段と、
前記適正床荷重情報を用いて、前記床荷重情報に適用可能なデッキプレートの種類を絞り込むデッキプレート選別手段と、
選別されたデッキプレートの種類の中から、使用するデッキプレートの種類を選択するデッキプレート種類選択手段と、
前記適正デッキプレート種類情報を用いて、前記デッキプレート種類選択手段によって選択されたデッキプレートの種類から、適用可能な梁の種類を絞り込む梁選別手段と、
選別された梁の種類の中から、使用する梁の種類を選択する梁種類選択手段と、
デッキプレートの種類に対応した床スラブ情報を算出または前記記憶部から取得する床スラブ情報取得手段と、
梁の種類と床スラブ情報に基づいて、梁と床スラブとを合成した合成梁の剛性情報を算出する剛性情報算出手段と、
前記合成梁の剛性情報を出力する剛性情報出力手段、として機能させることを特徴とするプログラム。
【請求項５】
前記記憶部には、梁の種類ごとに、大梁として使用した際に使用可能なそれぞれの適正小梁種類情報が紐づけされて記憶されており、
前記梁種類選択手段は、選別された梁の種類の中から大梁を選択可能であるとともに、前記適正小梁種類情報を用いて、大梁としての梁の種類に適用可能な小梁としての梁の種類を絞り込み、絞り込まれた梁の種類の中から使用する小梁を選択可能であることを特徴とする請求項４記載のプログラム。
【請求項６】
コンピュータによって、床スラブと鉄骨梁とを一体化した合成梁の剛性を算出可能なプログラムであって、
記憶部に、
複数の梁の種類と、それぞれの梁の種類ごとに紐づけられた第１の適正床荷重情報と、複数のデッキプレートの種類と、それぞれのデッキプレートの種類ごとに紐づけられた第２の適正床荷重情報と、それぞれの梁の種類ごとに紐づけられた適正デッキプレート種類情報と、
が記憶されたコンピュータを、
構造体の床荷重情報を入力する床荷重情報入力手段と、
前記第１の適正床荷重情報を用いて、前記床荷重情報に適用可能な梁の種類を絞り込む梁選別手段と、
前記適正デッキプレート種類情報を用いて、選別されたそれぞれの梁の種類に対応するデッキプレートの種類を選別する第１のデッキプレート選別手段と、
前記第２の適正床荷重情報を用いて、前記床荷重情報に適用可能なデッキプレートの種類を絞り込む第２のデッキプレート選別手段と、
選別された梁の種類と、前記第１のデッキプレート選別手段と前記第２のデッキプレート選別手段とで共通して選別されたデッキプレートの種類の中から、それぞれの梁の種類に適用可能なデッキプレートの種類の組み合わせを選択する梁およびデッキプレート種類選択手段と、
デッキプレートの種類に対応した床スラブ情報を算出または前記記憶部から取得する床スラブ情報取得手段と、
梁の種類と床スラブ情報に基づいて、梁と床スラブとを合成した合成梁の剛性情報を算出する剛性情報算出手段と、
前記合成梁の剛性情報を出力する剛性情報出力手段、として機能させることを特徴とするプログラム。
【請求項７】
前記剛性情報出力手段は、算出された前記合成梁の剛性情報と前記床荷重情報との比較結果を出力可能であることを特徴とする請求項１から請求項６のいずれかに記載のプログラム。
【請求項８】
コンピュータによって、床スラブと鉄骨梁を一体化した合成梁の剛性を算出可能な構造計算支援システムであって、
複数の梁の種類と、それぞれの梁の種類ごとに紐づけられた適正床荷重情報と、複数のデッキプレートの種類と、それぞれのデッキプレートの種類ごとに紐づけられた適正梁種類情報と、が記憶された記憶部と、
構造体の床荷重情報を入力する床荷重情報入力手段と、
前記適正床荷重情報を用いて、前記床荷重情報に適用可能な梁の種類を絞り込む梁選別手段と、
選別された梁の種類の中から、使用する梁の種類を選択する梁種類選択手段と、
前記適正梁種類情報を用いて、前記梁種類選択手段によって選択された梁の種類から、適用可能なデッキプレート種類を絞り込むデッキプレート選別手段と、
選別されたデッキプレートの種類の中から、使用するデッキプレートの種類を選択するデッキプレート種類選択手段と、
デッキプレートの種類に対応した床スラブ情報を算出または前記記憶部から取得する床スラブ情報取得手段と、
梁の種類と床スラブ情報に基づいて、梁と床スラブとを合成した合成梁の剛性情報を算出する剛性情報算出手段と、
前記合成梁の剛性情報を出力する剛性情報出力手段と、
を具備することを特徴とする構造計算支援システム。
【請求項９】
コンピュータによって、床スラブと鉄骨梁を一体化した合成梁の剛性を算出可能な構造計算支援システムであって、
複数のデッキプレートの種類と、それぞれのデッキプレートの種類ごとに紐づけられた適正床荷重情報と、複数の梁の種類と、それぞれの梁の種類ごとに紐づけられた適正デッキプレート種類情報と、が記憶された記憶部と、
構造体の床荷重情報を入力する床荷重情報入力手段と、
前記適正床荷重情報を用いて、前記床荷重情報に適用可能なデッキプレートの種類を絞り込むデッキプレート選別手段と、
選別されたデッキプレートの種類の中から、使用するデッキプレートの種類を選択するデッキプレート種類選択手段と、
前記適正デッキプレート種類情報を用いて、前記デッキプレート種類選択手段によって選択されたデッキプレートの種類から、適用可能な梁の種類を絞り込む梁選別手段と、
選別された梁の種類の中から、使用する梁の種類を選択する梁種類選択手段と、
デッキプレートの種類に対応した床スラブ情報を算出または前記記憶部から取得する床スラブ情報取得手段と、
梁の種類と床スラブ情報に基づいて、梁と床スラブとを合成した合成梁の剛性情報を算出する剛性情報算出手段と、
前記合成梁の剛性情報を出力する剛性情報出力手段と、
を具備することを特徴とする構造計算支援システム。
【請求項１０】
コンピュータによって、床スラブと鉄骨梁を一体化した合成梁の剛性を算出可能な構造計算支援システムであって、
複数の梁の種類と、それぞれの梁の種類ごとに紐づけられた第１の適正床荷重情報と、複数のデッキプレートの種類と、それぞれのデッキプレートの種類ごとに紐づけられた第２の適正床荷重情報と、それぞれの梁の種類ごとに紐づけられた適正デッキプレート種類情報と、が記憶された記憶部と、
構造体の床荷重情報を入力する床荷重情報入力手段と、
前記第１の適正床荷重情報を用いて、前記床荷重情報に適用可能な梁の種類を絞り込む梁選別手段と、
前記適正デッキプレート種類情報を用いて、選別されたそれぞれの梁の種類に対応するデッキプレートの種類を選別する第１のデッキプレート選別手段と、
前記第２の適正床荷重情報を用いて、前記床荷重情報に適用可能なデッキプレートの種類を絞り込む第２のデッキプレート選別手段と、
選別された梁の種類と、前記第１のデッキプレート選別手段と前記第２のデッキプレート選別手段とで共通して選別されたデッキプレートの種類の中から、それぞれの梁の種類に適用可能なデッキプレートの種類の組み合わせを選択する梁およびデッキプレート種類選択手段と、
デッキプレートの種類に対応した床スラブ情報を算出または前記記憶部から取得する床スラブ情報取得手段と、
梁の種類と床スラブ情報に基づいて、梁と床スラブとを合成した合成梁の剛性情報を算出する剛性情報算出手段と、
前記合成梁の剛性情報を出力する剛性情報出力手段と、
を具備することを特徴とする構造計算支援システム。
【発明の詳細な説明】
【技術分野】
【０００１】
本発明は、建築物の構造計算を行う構造計算支援システム及びプログラムに関するものである。
【背景技術】
【０００２】
従来、建築物の設計時には、常時や地震時の構造計算（強度検討）を行い、各部の耐力や変形が算出される。このような計算を行う際には、構造計算支援システム（プログラム）が用いられる。当該システムに、必要なデータを入力することで、構造計算が行われる。
【０００３】
このような構造計算支援システムとしては、例えば、設計検証支援装置と設計変更装置とが、通信によってデータの受け渡しをする設計支援システムがある（特許文献１）。
【０００４】
一方、構造物においては、コンクリート床スラブの型枠と構造体とを兼ねたデッキプレートが用いられる場合がある。従来の設計支援システムでは、このようなデッキプレートを用いた構造物の構造計算において、構造体の鉄骨梁の剛性値などを入力するのではなく、予め、鉄骨梁とコンクリートとを一体化させた合成梁の剛性値を別途計算し（例えば特許文献２）、この剛性値を入力することで、構造物の構造計算が行われていた。
【先行技術文献】
【特許文献】
【０００５】
【特許文献１】特開２００２−２３００４５号公報
【特許文献２】特開２０１２−１２７８８号公報
【発明の概要】
【発明が解決しようとする課題】
【０００６】
このような従来の構造設計支援システムでは、通常、使用する梁やデッキプレートの種類（サイズや形状など）を入力することで構造計算が行われる。したがって、例えば、梁やデッキプレートの種類を選択し、構造計算結果を見て、これが対象となる構造体に適したものかどうかを判定する手段として用いられている。
【０００７】
このような構造設計支援システムでは、計算を行う条件ごとに使用する梁やデッキプレートのサイズなど、計算に用いられる多くの情報を繰り返し入力する必要がある。このため、可能な限り、入力の手間を省略することが求められる。しかし、梁やデッキプレートの種類は多く、梁やデッキプレートの種類の入力時に、入力の間違いなどが生じる恐れがある。
【０００８】
これに対し、予め梁やデッキプレートのリストを作成し、リストから、例えばプルダウン形式で梁やデッキプレートの種類を選択可能とする方法もある。しかし、このようにしても、リスト内の多数の種類の中から、所望の梁やデッキプレートを探すのに時間を要する。
【０００９】
本発明は、このような問題に鑑みてなされたもので、情報の入力の手間を削減し、別途の計算の手間を削減可能な、建築物の構造計算を行う構造計算支援システムおよびプログラムを提供することを目的とする。
【課題を解決するための手段】
【００１０】
前述した目的を達成するため、第１の発明は、コンピュータによって、床スラブと鉄骨梁とを一体化した合成梁の剛性を算出可能なプログラムであって、記憶部に、複数の梁の種類と、それぞれの梁の種類ごとに紐づけられた適正床荷重情報と、複数のデッキプレートの種類と、それぞれのデッキプレートの種類ごとに紐づけられた適正梁種類情報と、が記憶されたコンピュータを、構造体の床荷重情報を入力する床荷重情報入力手段と、前記適正床荷重情報を用いて、前記床荷重情報に適用可能な梁の種類を絞り込む梁選別手段と、選別された梁の種類の中から、使用する梁の種類を選択する梁種類選択手段と、前記適正梁種類情報を用いて、前記梁種類選択手段によって選択された梁の種類から、適用可能なデッキプレート種類を絞り込むデッキプレート選別手段と、選別されたデッキプレートの種類の中から、使用するデッキプレートの種類を選択するデッキプレート種類選択手段と、デッキプレートの種類に対応した床スラブ情報を算出または前記記憶部から取得する床スラブ情報取得手段と、梁の種類とデッキプレートの種類に基づいて、梁と床スラブとを合成した合成梁の剛性情報を算出する剛性情報算出手段と、前記合成梁の剛性情報を出力する剛性情報出力手段、として機能させることを特徴とするプログラムである。
【００１１】
前記記憶部には、梁の種類ごとに大梁及び小梁として使用可能なそれぞれの前記適正床荷重情報が紐づけされて記憶されており、前記梁選別手段は、前記適正床荷重情報を用いて、前記床荷重情報に適用可能な大梁としての梁の種類と、小梁としての梁の種類とをそれぞれ絞り込み、前記梁種類選択手段は、選別された梁の種類の中から、使用する大梁及び小梁をそれぞれ選択してもよい。
【００１２】
前記梁種類選択手段は、前記梁選別手段で絞り込まれた大梁としての梁の種類の中から、大梁として使用する梁の種類を選択可能であるとともに、前記梁選別手段で絞り込まれた小梁としての梁の種類であって、かつ、大梁として選択された梁の種類よりも断面の小さな梁の種類の中から小梁として使用する梁の種類を選択可能であってもよい。
【００１３】
また、第２の発明は、コンピュータによって、床スラブと鉄骨梁とを一体化した合成梁の剛性を算出可能なプログラムであって、記憶部に、複数のデッキプレートの種類と、それぞれのデッキプレートの種類ごとに紐づけられた適正床荷重情報と、複数の梁の種類と、それぞれの梁の種類ごとに紐づけられた適正デッキプレート種類情報と、が記憶されたコンピュータを、構造体の床荷重情報を入力する床荷重情報入力手段と、前記適正床荷重情報を用いて、前記床荷重情報に適用可能なデッキプレートの種類を絞り込むデッキプレート選別手段と、選別されたデッキプレートの種類の中から、使用するデッキプレートの種類を選択するデッキプレート種類選択手段と、前記適正デッキプレート種類情報を用いて、前記デッキプレート種類選択手段によって選択されたデッキプレートの種類から、適用可能な梁の種類を絞り込む梁選別手段と、選別された梁の種類の中から、使用する梁の種類を選択する梁種類選択手段と、デッキプレートの種類に対応した床スラブ情報を算出または前記記憶部から取得する床スラブ情報取得手段と、梁の種類とデッキプレートの種類に基づいて、梁と床スラブとを合成した合成梁の剛性情報を算出する剛性情報算出手段と、前記合成梁の剛性情報を出力する剛性情報出力手段、として機能させることを特徴とするプログラムである。
【００１４】
前記記憶部には、梁の種類ごとに、大梁として使用した際に使用可能なそれぞれの適正小梁種類情報が紐づけされて記憶されており、前記梁種類選択手段は、選別された梁の種類の中から大梁を選択可能であるとともに、前記適正小梁種類情報を用いて、大梁としての梁の種類に適用可能な小梁としての梁の種類を絞り込み、絞り込まれた梁の種類の中から使用する小梁を選択可能であってもよい。
【００１５】
また、第３の発明は、コンピュータによって、床スラブと鉄骨梁とを一体化した合成梁の剛性を算出可能なプログラムであって、記憶部に、複数の梁の種類と、それぞれの梁の種類ごとに紐づけられた第１の適正床荷重情報と、複数のデッキプレートの種類と、それぞれのデッキプレートの種類ごとに紐づけられた第２の適正床荷重情報と、それぞれの梁の種類ごとに紐づけられた適正デッキプレート種類情報と、が記憶されたコンピュータを、構造体の床荷重情報を入力する床荷重情報入力手段と、前記第１の適正床荷重情報を用いて、前記床荷重情報に適用可能な梁の種類を絞り込む梁選別手段と、前記適正デッキプレート種類情報を用いて、選別されたそれぞれの梁の種類に対応するデッキプレートの種類を選別する第１のデッキプレート選別手段と、前記第２の適正床荷重情報を用いて、前記床荷重情報に適用可能なデッキプレートの種類を絞り込む第２のデッキプレート選別手段と、選別された梁の種類と、前記第１のデッキプレート選別手段と前記第２のデッキプレート選別手段とで共通して選別されたデッキプレートの種類の中から、それぞれの梁の種類に適用可能なデッキプレートの種類の組み合わせを選択する梁およびデッキプレート種類選択手段と、デッキプレートの種類に対応した床スラブ情報を算出または前記記憶部から取得する床スラブ情報取得手段と、梁の種類とデッキプレートの種類に基づいて、梁と床スラブとを合成した合成梁の剛性情報を算出する剛性情報算出手段と、前記合成梁の剛性情報を出力する剛性情報出力手段、として機能させることを特徴とするプログラムである。
【００１６】
また、第１の発明から第３の発明において、前記剛性情報出力手段は、算出された前記合成梁の剛性情報と前記床荷重情報との比較結果を出力可能であってもよい。
【００１７】
第１の発明から第３の発明によれば、予め構造体に与えられる床荷重情報から、これに適した梁やデッキプレートを絞り込み、これらの中から梁やデッキプレートを選択することができる。このため、構造計算を行う際に、従来の方法のように、単に入力した梁やデッキプレートの種類から構造計算を行うのみではなく、対象となる構造物の床荷重情報から逆算して選択可能な梁やデッキプレートの選択肢を削減して、梁やデッキプレートを容易に入力することができる。この結果、各情報の入力ミスを削減することができ、梁やデッキプレートの種類を選ぶ時間も削減することができる。
【００１８】
例えば、第１の発明では、まず、与えられた床荷重情報に適用可能な梁の種類を絞り込み、その中から使用する梁の種類を選択可能とすることで、梁の選択が容易となる。また、梁を選択すると、その梁に適用可能なデッキプレート種類を絞り込み、その中から、使用するデッキプレートの種類を選択可能とすることで、デッキプレートの選択が容易となる。
【００１９】
また、この場合には、与えられた床荷重情報に適用可能な大梁の種類と小梁の種類をそれぞれ絞り込み、その中から使用する大梁と小梁の種類をそれぞれ選択可能とすることで、より細かな梁の選択が可能となる。
【００２０】
また、大梁と小梁とを選択する場合には、まず大梁を選択した後、絞り込まれた小梁の中からさらに大梁よりも断面の小さな小梁を絞り込むことで、小梁の選択が容易となる。
【００２１】
また、第２の発明では、まず、与えられた床荷重情報に適用可能なデッキプレートの種類を絞り込み、その中から使用するデッキプレートの種類を選択可能とすることで、デッキプレートの選択が容易となる。また、デッキプレートを選択すると、そのデッキプレートに適用可能な梁を絞り込み、その中から、使用する梁の種類を選択可能とすることで、梁の選択が容易となる。このように、梁とデッキプレートはいずれを先に選択して、絞り込みを行ってもよい。
【００２２】
この場合でも、まず、デッキプレートに適用可能な大梁を選択し、大梁の種類に適用可能な小梁の種類を絞り込み、絞り込まれた梁の種類の中から使用する小梁を選択可能とすることで、小梁の選択が容易となる。
【００２３】
また、第３の発明では、与えられた床荷重情報に適用可能なデッキプレートと梁の種類をそれぞれ絞り込み、まず、その中から使用する梁の種類を選択可能とするとともに、梁を選択すると、その梁に適用可能なデッキプレートを、床荷重情報によって絞り込まれたデッキプレートの中からさらに絞り込むことで、デッキプレートの選択がさらに容易となる。
【００２４】
このように、第１の発明から第３の発明では、与えられた床荷重情報から逆算して、使用可能な梁やデッキプレートを選択することで、所望の床荷重情報を満たす計算結果が得られる。また、算出された合成梁の剛性情報と床荷重情報との比較結果を出力することで、安全率などを把握することができ、より最適な選択を行うことができる。
【００２５】
第４の発明は、コンピュータによって、床スラブと鉄骨梁を一体化した合成梁の剛性を算出可能な構造計算支援システムであって、複数の梁の種類と、それぞれの梁の種類ごとに紐づけられた適正床荷重情報と、複数のデッキプレートの種類と、それぞれのデッキプレートの種類ごとに紐づけられた適正梁種類情報と、が記憶された記憶部と、構造体の床荷重情報を入力する床荷重情報入力手段と、前記適正床荷重情報を用いて、前記床荷重情報に適用可能な梁の種類を絞り込む梁選別手段と、選別された梁の種類の中から、使用する梁の種類を選択する梁種類選択手段と、前記適正梁種類情報を用いて、前記梁種類選択手段によって選択された梁の種類から、適用可能なデッキプレート種類を絞り込むデッキプレート選別手段と、選別されたデッキプレートの種類の中から、使用するデッキプレートの種類を選択するデッキプレート種類選択手段と、デッキプレートの種類に対応した床スラブ情報を算出または前記記憶部から取得する床スラブ情報取得手段と、梁の種類とデッキプレートの種類に基づいて、梁と床スラブとを合成した合成梁の剛性情報を算出する剛性情報算出手段と、前記合成梁の剛性情報を出力する剛性情報出力手段と、を具備することを特徴とする構造計算支援システムである。
【００２６】
第５の発明は、コンピュータによって、床スラブと鉄骨梁を一体化した合成梁の剛性を算出可能な構造計算支援システムであって、複数のデッキプレートの種類と、それぞれのデッキプレートの種類ごとに紐づけられた適正床荷重情報と、複数の梁の種類と、それぞれの梁の種類ごとに紐づけられた適正デッキプレート種類情報と、が記憶された記憶部と、構造体の床荷重情報を入力する床荷重情報入力手段と、前記適正床荷重情報を用いて、前記床荷重情報に適用可能なデッキプレートの種類を絞り込むデッキプレート選別手段と、選別されたデッキプレートの種類の中から、使用するデッキプレートの種類を選択するデッキプレート種類選択手段と、前記適正デッキプレート種類情報を用いて、前記デッキプレート種類選択手段によって選択されたデッキプレートの種類から、適用可能な梁の種類を絞り込む梁選別手段と、選別された梁の種類の中から、使用する梁の種類を選択する梁種類選択手段と、デッキプレートの種類に対応した床スラブ情報を算出または前記記憶部から取得する床スラブ情報取得手段と、梁の種類とデッキプレートの種類に基づいて、梁と床スラブとを合成した合成梁の剛性情報を算出する剛性情報算出手段と、前記合成梁の剛性情報を出力する剛性情報出力手段と、を具備することを特徴とする構造計算支援システムである。
【００２７】
第６の発明は、コンピュータによって、床スラブと鉄骨梁を一体化した合成梁の剛性を算出可能な構造計算支援システムであって、複数の梁の種類と、それぞれの梁の種類ごとに紐づけられた第１の適正床荷重情報と、複数のデッキプレートの種類と、それぞれのデッキプレートの種類ごとに紐づけられた第２の適正床荷重情報と、それぞれの梁の種類ごとに紐づけられた適正デッキプレート種類情報と、が記憶された記憶部と、構造体の床荷重情報を入力する床荷重情報入力手段と、前記第１の適正床荷重情報を用いて、前記床荷重情報に適用可能な梁の種類を絞り込む梁選別手段と、前記適正デッキプレート種類情報を用いて、選別されたそれぞれの梁の種類に対応するデッキプレートの種類を選別する第１のデッキプレート選別手段と、前記第２の適正床荷重情報を用いて、前記床荷重情報に適用可能なデッキプレートの種類を絞り込む第２のデッキプレート選別手段と、選別された梁の種類と、前記第１のデッキプレート選別手段と前記第２のデッキプレート選別手段とで共通して選別されたデッキプレートの種類の中から、それぞれの梁の種類に適用可能なデッキプレートの種類の組み合わせを選択する梁およびデッキプレート種類選択手段と、デッキプレートの種類に対応した床スラブ情報を算出または前記記憶部から取得する床スラブ情報取得手段と、梁の種類とデッキプレートの種類に基づいて、梁と床スラブとを合成した合成梁の剛性情報を算出する剛性情報算出手段と、前記合成梁の剛性情報を出力する剛性情報出力手段と、を具備することを特徴とする構造計算支援システムである。
【００２８】
第４の発明から第６の発明によれば、情報の入力の手間を削減し、別途の計算の手間を削減可能な、建築物の構造計算を行う構造計算支援システムを提供することができる。
【発明の効果】
【００２９】
本発明によれば、情報の入力の手間を削減し、別途の計算の手間を削減可能な、建築物の構造計算を行う構造計算支援システムおよびプログラムを提供することができる。
【図面の簡単な説明】
【００３０】
【図１】デッキプレート１を示す斜視図。
【図２】（ａ）は、柱９と大梁１１及び小梁１３の配置を示す平面図、（ｂ）は、デッキプレート１を配置した状態を示す平面図。
【図３】床スラブ１５を構築した状態を示す側方図。
【図４】構造計算支援システム２０のハードウェアの構成を示す図。
【図５】構造計算支援システム２０の処理を示すフローチャート。
【図６】構造計算支援システム２０の他の処理を示すフローチャート。
【図７】構造計算支援システム２０の他の処理を示すフローチャート。
【発明を実施するための形態】
【００３１】
以下、本発明の実施の形態にかかる構造計算支援システムについて説明する。図１は、デッキプレート１を示す斜視図である。デッキプレート１は、プレート３、主鉄筋５及び副鉄筋７等から構成される。
【００３２】
プレート３は、例えば、細かな波形が成形された鋼板である。プレート３の長手方向に沿って、主鉄筋５が配置されて固定される。また、主鉄筋５に対して、所定の角度で、副鉄筋７が固定される。このようにして構成されるデッキプレート１は、長手方向（図中Ａ）の曲げに対する強度が、短手側（図中Ｂ）の曲げに対する強度よりも大きい。すなわち、デッキプレート１は、その方向によって、強度特性が異なる。
【００３３】
図２は、デッキプレート１の配置について示す平面図であり、図２（ａ）は、柱９、大梁１１及び小梁１３の配置を示す図、図２（ｂ）は、デッキプレート１を配置した状態を示す図である。図２（ａ）に示すように、４本の柱９同士の間には、大梁１１が配置される。また、対向する大梁１１同士の間には、当該大梁１１に略平行に、複数の小梁１３が固定される。
【００３４】
このように、小梁１３が配置される場合には、小梁１３同士の距離（図中Ｅ）が、これと直交する方向の大梁１１同士の距離（図中Ｄ）よりも短くなる。この場合には、梁の間隔が短い方向である、小梁１３に垂直な方向をデッキプレート１の長手方向としてデッキプレート１が配置される。なお、図２（ａ）において、小梁１３が設けられない場合には、対向する大梁１１同士の間隔（図中ＣまたはＤ）の内、距離の短い方向（例えば図中Ｄ）を、デッキプレート１の長手方向とする。このように配置することで、構造物の耐力等に有利となる。
【００３５】
なお、大梁１１の上面には、複数のシアコネクタ１７が接合される。このようなシアコネクタ１７を用いることで、例えば地震時においても、床に作用する慣性力を大梁１１に伝達させることができ、床スラブを確実に大梁１１に固定することができる。また、Ｈ鋼からなる鉄骨梁の上フランジを床スラブと一体化させることができるため、コンクリートと合成された合成梁として、床スラブが鉄骨梁の曲げ抵抗に寄与して全体としての剛性を向上させることができる。
【００３６】
図３は、このようにしてデッキプレート１を配置した状態で、上方にコンクリートを打設し、床スラブ１５を構築した状態を示す。床スラブ１５は、デッキプレート１とともに、大梁１１（シアコネクタ１７）等と一体化する。この状態における構造骨組み（柱９、大梁１１、小梁１３）および床スラブ１５について構造計算が行われ、所望の耐力等を有するかどうか、確認を行うことができる。
【００３７】
次に、上記構造計算を行う構造計算支援システムについて説明する。図４は、構造計算支援システム２０を示すハードウェア構成図である。構造計算支援システム２０は、例えばコンピュータであり、制御部２３、記憶部２５、メディア入出力部２７、通信制御部２９、入力部３１、表示部３３、周辺機器Ｉ／Ｆ部３５等から構成され、それらがバス３７を介して接続される。
【００３８】
制御部２３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部２５、ＲＯＭ、記録媒体等に格納されるプログラムをＲＡＭ上のワークメモリ領域に呼び出して実行し、バス３７を介して接続された各装置を駆動制御し、構造計算支援システム２０が行う処理を実現する。
【００３９】
ＲＯＭは、不揮発性メモリであり、コンピュータのブートプログラムやＢＩＯＳ等のプログラム、データ等を恒久的に保持している。ＲＡＭは、揮発性メモリであり、記憶部２５、ＲＯＭ、記録媒体等からロードしたプログラム、データ等を一時的に保持するとともに、制御部２３が各種処理を行う為に使用するワークエリアを備える。
【００４０】
記憶部２５は、ＨＤＤ（ハードディスクドライブ）やＳＳＤ（ソリッドステートドライブ）であり、制御部２３が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。これらの各プログラムコードは、制御部２３により必要に応じて読み出されてＲＡＭに移され、ＣＰＵに読み出されて各種の手段として実行される。
【００４１】
また、記憶部２５には、本発明において用いられる、各種データが保管される。例えば、柱９、大梁１１及び小梁１３の種類とそれぞれの強度特性、デッキプレートの種類と、デッキプレート１の長手方向および短手方向のそれぞれの強度特性、デッキプレートの種類に対応した床スラブ情報、梁の形状情報と床スラブ情報に対応した合成梁基本剛性情報、構造体の床荷重情報、及びシアコネクタの強度情報等が必要に応じて記憶されている。なお、記憶部２５に記憶されている各種情報については、詳細を後述する。
【００４２】
メディア入出力部２７（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００４３】
通信制御部２９は、通信制御装置、通信ポート等を有し、コンピュータとネットワーク間の通信を媒介する通信インタフェースである。
【００４４】
入力部３１は、データの入力を行い、例えば、キーボード、マウス等のポインティングデバイス、テンキー等の入力装置を有する。入力部３１を介して、コンピュータに対して、操作指示、動作指示、データ入力等を行うことができる。
【００４５】
表示部３３は、ＣＲＴモニタ、液晶パネル等のディスプレイ装置、ディスプレイ装置と連携してコンピュータのビデオ機能を実現するための論理回路等（ビデオアダプタ等）を有する。
【００４６】
周辺機器Ｉ／Ｆ（インタフェース）部３５は、コンピュータに周辺機器を接続させるためのポートであり、周辺機器Ｉ／Ｆ部３５を介してコンピュータは周辺機器とのデータの送受信を行う。
【００４７】
バス３７は、各装置間の制御信号、データ信号等の授受を媒介する経路である。ここで、構造計算支援システム２０としては、上記構成をすべて含むものに限定されるものではなく、本発明の機能を奏するために必要な構成のみを有すればよい。例えば、上記の一部の構成を含む携帯端末なども適用が可能である。なお、本発明でコンピュータとは、物理的に独立した一台の装置のみではなく、上記の各構成がネットワークで接続された複数の装置に分散して配置されたものも含む。
【００４８】
（第１の実施形態）
次に、構造計算支援システム２０の動作について説明する。図５は、構造計算支援システム２０の動作を示すフローチャートである。構造計算支援システム２０は、常時および地震時における建築物の耐力や変形などを計算で算出するものであり、構造体が所望の強度を有するかどうかを計算で確認することができる。
【００４９】
（ステップ１０１）
前述したように、構造計算支援システム２０は、コンピュータによって、床スラブと鉄骨梁とを一体化した合成梁の剛性を算出可能なプログラムによって実行される。まず、入力部３１によって、計算対象となる床荷重情報を入力する（床荷重情報入力手段）。
【００５０】
通常、構造体は、例えば倉庫などの重量物が保管される建物や、内部を車両が走行する建物などの種類によって、必要な床にかかる荷重が設定される。床荷重情報は、対象となる構造体に必要な床の耐荷重に関する情報である。なお、予め構造体の種類や大きさに対応した床荷重情報を記憶部２５に記憶させておき、例えばプルダウンなどによって構造体種類を選択することで、床荷重情報を入力してもよい。
【００５１】
（ステップ１０２）
次に、制御部２３は、記憶部２５に記憶されている適正床荷重情報を用いて、入力された床荷重情報に適用可能な梁の種類を絞り込む（梁選別手段）。記憶部２５には、予め複数の梁の種類（型番及び各型番の梁の断面係数、剛性、強度等の情報）が記憶されている。なお、梁のサイズから、制御部２３によって、梁の断面係数や剛性や強度の情報を算出してもよい。
【００５２】
適正床荷重情報は、梁の種類ごとに紐づけられており、その梁が適用可能な床荷重情報の範囲が設定されている。例えば、ある床荷重の設計に適切に用いることが可能な梁の種類は限られる。床荷重に対して梁の剛性が低すぎれば構造体として成立せず、梁の剛性が高すぎれば、過剰な設計となり適切ではない。したがって、それぞれの梁ごとに、その梁を用いた構造体で設計される適正な床荷重情報の範囲が設定可能である。
【００５３】
なお、より具体的には、それぞれの梁の種類について、その梁を大梁として使用可能な床荷重情報の範囲と、小梁として使用可能な床荷重情報の範囲とが設定されている。一般的には、大梁と小梁とでは、要求される剛性等が異なる場合があるため、同じ梁の種類でも、大梁として適用可能な床荷重情報の範囲と小梁として適用可能な床荷重情報の範囲とが異なる。このため、記憶部２５には、梁の種類ごとに大梁及び小梁として使用可能なそれぞれの適正床荷重情報が紐づけされて記憶されており、梁選別手段は、適正床荷重情報を用いて、入力された床荷重情報に適用可能な大梁としての梁の種類と、小梁としての梁の種類を絞り込む。
【００５４】
（ステップ１０３、１０４）
次に、梁選別手段で選別された梁の種類から、使用する大梁及び小梁の種類を選択する（梁種類選択手段）。利用者は、入力部３１によって、例えばプルダウンなどから、梁の型番等を選択することができる。
【００５５】
なお、小梁の選択は、梁選別手段で選別された梁の種類から直接選択してもよいが、選択した大梁によってさらに絞り込んだ種類の中から選択してもよい。この場合には、まず、梁選別手段で絞り込まれた梁の種類から、使用する大梁種類を選択する。次に、梁選別手段で絞り込まれた小梁としての梁の種類であって、かつ、大梁として選択された梁の種類よりも断面の小さな梁の種類（大梁よりも強度が小さい梁）を絞り込み、この中から小梁として使用する梁の種類を選択可能とする。このようにすることで、小梁の選択肢をさらに狭くすることができ、選択が容易となる。なお、小梁として、大梁のサイズ以上（大梁の強度以上の梁）の種類を選択可能としてもよい。
【００５６】
（ステップ１０５）
次に、制御部２３は、梁種類選択手段によって選択された梁の種類から、適用可能なデッキプレート種類を絞り込む（デッキプレート選別手段）。
【００５７】
記憶部２５には、複数のデッキプレートの種類（型番及び各型番のデッキプレートの断面係数、剛性、強度等の情報）と、それぞれのデッキプレートの種類ごとに紐づけられた適正梁種類情報が予め格納される。
【００５８】
ここで、梁の形状に応じて、適切に適用可能なデッキプレートの種類は制限される。例えば、サイズの大きな梁に対して、薄くて剛性の小さいデッキプレートを適用することができない。逆に、サイズの小さな梁に対しては、過剰に厚みのあるデッキプレートを選択する必要がない。すなわち、それぞれの梁に対応した適正なデッキプレートが存在する。例えば、梁の高さに対して、１．５〜２倍の厚みのデッキプレートが適用可能であるとすれば、それぞれのデッキプレートの種類に対して適用可能な梁の種類が制限される。このように、適正梁種類情報は、それぞれのデッキプレートの種類に対して、適切に適用可能な梁の種類（型番又はサイズなど）の情報である。デッキプレート選別手段は、適正梁種類情報を用いて、梁種類選択手段によって選択された大梁の種類から、適用可能なデッキプレート種類を絞り込む。
【００５９】
（ステップ１０６）
次に、デッキプレート選別手段で選別されたデッキプレートの種類から、使用するデッキプレートの種類を選択する（デッキプレート種類選択手段）。利用者は、入力部３１によって、例えばプルダウンなどから、デッキプレートの型番等を選択することができる。
【００６０】
（ステップ１０７）
次に、制御部２３は、４本の柱９で囲まれたそれぞれの領域ごとに、小梁１３があるか否かを判定する。小梁１３がある場合には、制御部２３のデッキプレート方向決定部は、小梁１３に垂直な方向（場合によっては平行な方向）を、デッキプレート１の長手方向と決定する。すなわち、小梁１３がある場合には、小梁１３の間隔が、これと直交する大梁１１間の距離よりも短くなる場合が多いため、梁の間隔が短い方向を、デッキプレート１の長手方向とする。
【００６１】
一方、小梁１３がない場合には、制御部２３のデッキプレート方向決定部は、大梁１１の間隔の狭い方向をデッキプレート１の長手方向とする決定する。なお、梁間距離が同じの場合には、隣り合う他の領域におけるデッキプレートの方向と合わせればよい。このように、制御部２３は、大梁１１と小梁１３とで囲まれた空間の形状から、梁同士の間隔が短い方向を、デッキプレート１の方向として決定する。
【００６２】
その後、制御部２３は、選択されたデッキプレート１の種類及びデッキプレート１の方向に対応した床スラブ情報を記憶部２５から取得する（床スラブ情報取得手段）。
【００６３】
記憶部２５には、予め選択されたデッキプレートの種類に応じた床スラブ情報が格納される。床スラブ情報は、デッキプレートに応じた厚みのコンクリートが打設された際の、床スラブとしての剛性等の情報である。なお、床スラブ情報は、デッキプレートの種類ごとに予め記憶部２５にリスト化されていなくてもよく、選択されたデッキプレートの種類に応じて、その都度、床スラブとしての剛性を算出して床スラブ情報を取得してもよい。
【００６４】
（ステップ１０８）
次に、制御部２３は、梁の種類と、床スラブ情報に基づいて、梁と床スラブとを合成した合成梁の剛性情報を算出する（剛性情報算出手段）。合成梁剛性情報算出手段は、梁の種類と床スラブ情報とによって、公知の計算式で合成梁の剛性を算出する。
【００６５】
より詳細には、少なくとも、記憶部２５から読みだされた大梁１１および小梁１３の強度特性と、デッキプレート１のそれぞれの方向の強度特性や計算条件に基づいて、梁および床スラブの構造計算を行う。この際、梁の強度特性に、デッキプレート１およびデッキプレート１上に打設されたコンクリートの強度特性も加味され、デッキプレート１が配置された合成梁の強度が算出される。例えば、従来の構造計算においては、梁の強度計算と、床スラブ１５の強度特性とは別に計算されていたが、本実施形態では、梁上に床スラブ１５がシアコネクタ等により一体で構築された構造体として、梁の強度が計算される。このようにすることで、より正確な強度計算を行うことができる。
【００６６】
なお、予め、梁の形状情報と床スラブ情報に対応した合成梁の剛性（合成梁基本剛性情報）を算出しておき、記憶部２５に保管しておいてもよい。この場合には、剛性情報算出手段は、記憶部２５から予め算出された合成梁基本剛性情報（例えば単位長さ当たりの剛性）を取得し、合成梁基本剛性情報に梁の長さを加味することで、合成梁の剛性情報を算出してもよい。
【００６７】
また、剛性情報算出手段は、合成梁の剛性情報に加えて、合成梁の曲げ耐力情報、合成梁のせん断耐力情報、または合成梁の横座屈耐力情報の少なくともいずれかを算出してもよい。これらの算出には、公知の算出式が用いられる。
【００６８】
次に、制御部２３は、合成梁の剛性情報から、梁と床スラブの間に必要なせん断強度を算出する。また、記憶部２５から、梁と床スラブとを一体化するシアコネクタの強度情報を取得し、合成梁の剛性情報とシアコネクタの強度情報から、シアコネクタの必要本数を算出してもよい。このようにすることで、必要最低限のシアコネクタの本数を知ることができ、シアコネクタの溶接作業等も含めた作業時間や費用等を把握することができる。
【００６９】
（ステップ１０９、１１０）
次に、制御部２３は、剛性情報算出手段で算出された合成梁の剛性情報と床荷重情報とを比較する。また、制御部２３は、合成梁の剛性情報、合成梁の曲げ耐力情報、合成梁のせん断耐力情報、または合成梁の横座屈耐力情報、シアコネクタの本数、合成梁の剛性情報と床荷重情報との比較結果等の内、必要な項目を表示部３３に出力する（剛性情報出力手段）。
【００７０】
例えば、合成梁の剛性情報と床荷重情報との比較結果としては、床荷重情報に対する安全率を出力することができる。また、さらに、各部材に単価情報を紐づけしておくことで、使用される部材費用等を出力することもできる。さらに、複数の条件で算出を行い、結果同士を同時に表示して比較することもできる。なお、各項目の結果は、記憶部２５に記憶させることができ、プリンタや他の端末に送信することができることは言うまでもない。
【００７１】
以上、第１の実施形態によれば、必要な床荷重情報から逆算して、床荷重情報に適用可能な梁の種類を絞り込む。このため、梁種類選択手段において、梁選別手段で選別された梁の種類の中から、使用する梁の種類を選択可能である。このように、不要な梁の種類の選択肢を一部省略して、梁の選択肢を少なくすることで、梁の選択が容易となり、入力時の手間が削減され、誤った選択を行うことを抑制することができる。この際、大梁と小梁とをそれぞれ選択可能とすることで、より自由度の高い計算を行うことができる。
【００７２】
また、適正梁種類情報を用いて、梁種類選択手段によって選択された梁の種類から、適用可能なデッキプレート種類を絞り込み、この中から使用するデッキプレートの種類を選択可能である。このように、不要なデッキプレートの種類の選択肢を一部省略して、デッキプレートの選択肢を少なくすることで、デッキプレートの選択が容易となり、入力時の手間が削減され、誤った選択を行うことを抑制することができる。
【００７３】
また、構造計算を行う際に、梁の強度特性に、デッキプレート１およびデッキプレート１上に打設されたコンクリートの強度特性を加味した合成梁の剛性を直接算出するため、大梁１１、小梁１３のそれぞれの強度をより正確に算出することができる。また、別途合成梁の剛性を算出する必要がないため、計算の手間を省くことができる。
【００７４】
また、デッキプレート１の配置方向については、使用者がシステムに入力することなく、自動的に決定されるため、入力の手間を省くことができる。この際、梁間隔の短い側をデッキプレート１の長手方向とすることで、構造物の強度の弱い方向に対して、デッキプレート１の強度の高い方向を適用することができ、効率よく構造物の強度特性を向上させることができる。
【００７５】
また、構造物の種類や用途に応じて必要な構造体の床荷重情報と、算出された剛性とを比較するため、選択した条件が適切であるかどうかや、過剰な設計でないかを容易に把握することができる。
【００７６】
また、合成梁の剛性に応じた強度で床スラブを大梁１１に固定することができるように、シアコネクタの本数を算出するため、効率よく、鉄骨梁の上フランジを床スラブと一体化させることができる。
【００７７】
（第２の実施形態）
次に、第２の実施形態について説明する。図６は、第２の実施形態にかかる構造計算支援システム２０の動作を示すフローチャートである。なお、以下の説明において、第１の実施形態と同様の構成については、重複する説明を省略する。第２の実施形態は第１の実施形態とほぼ同様であるが、先にデッキプレートの選別と選択を行った後に、梁の選別と選択を行う点で異なる。
【００７８】
（ステップ２０１）
前述したステップ１０１と同様である。
【００７９】
（ステップ２０２）
次に、制御部２３は、記憶部２５に記憶されている適正床荷重情報を用いて、入力された床荷重情報に適用可能なデッキプレートの種類を絞り込む（デッキプレート選別手段）。記憶部２５には、予め複数のデッキプレートの種類（型番及び各型番のデッキプレートの断面係数、剛性、強度等の情報）が記憶されている。
【００８０】
適正床荷重情報は、デッキプレートの種類ごとに紐づけられており、そのデッキプレートが適用可能な床荷重情報の範囲が設定されている。例えば、ある床荷重の設計に適正に用いることが可能なデッキプレートの種類は限られる。床荷重に対してデッキプレート（床スラブ）の剛性が低すぎれば構造体として成立せず、デッキプレート（床スラブ）の剛性が高すぎれば、過剰な設計となり適切ではない。したがって、それぞれのデッキプレートごとに、そのデッキプレートを用いた構造体で設計される適正な床荷重情報の範囲が設定可能である。
【００８１】
（ステップ２０３）
次に、デッキプレート選別手段で選別されたデッキプレートの種類から、使用するデッキプレートの種類を選択する（デッキプレート種類選択手段）。利用者は、入力部３１によって、例えばプルダウンなどから、デッキプレートの型番等を選択することができる。
【００８２】
（ステップ２０４）
次に、制御部２３は、デッキプレート種類選択手段によって選択されたデッキプレートの種類から、適用可能な梁種類を絞り込む（梁選別手段）。
【００８３】
記憶部２５には、複数の梁の種類（型番及び各型番の梁の断面係数、剛性、強度等の情報）と、それぞれの梁の種類ごとに紐づけられた適正デッキプレート種類情報が予め格納される。
【００８４】
前述したように、デッキプレートの種類に応じて、適切に適用可能な梁のサイズ等は制限される。例えば、厚くて剛性の大きなデッキプレートに対して、サイズの小さな梁を適用することができない。逆に、薄くて剛性の小さなデッキプレートに対して、過剰にサイズの大きな梁を選択する必要がない。すなわち、それぞれのデッキプレートに対応した適正な梁が存在する。適正デッキプレート種類情報は、それぞれの梁の種類に対して、適切に適用可能なデッキプレートの種類（型番又はサイズなど）の情報である。
【００８５】
（ステップ２０５）
次に、梁選別手段で選別された梁の種類から、大梁として使用する梁の種類を選択する（梁種類選択手段）。利用者は、入力部３１によって、例えばプルダウンなどから、梁の型番等を選択することができる。
【００８６】
（ステップ２０６）
次に、制御部２３は、選択された大梁に適用可能な小梁の種類を絞り込む。記憶部２５には、予め、梁の種類ごとに、大梁として使用した際に使用可能なそれぞれの適正小梁種類情報が紐づけされて記憶されている。記憶部の適正小梁種類情報を用いて、大梁として選択された梁に適用可能な小梁の種類を絞り込む。
【００８７】
（ステップ２０７）
次に、梁選別手段で選別された小梁の種類から、小梁として使用する梁の種類を選択する（梁種類選択手段）。利用者は、入力部３１によって、例えばプルダウンなどから、梁の型番等を選択することができる。
【００８８】
（ステップ２０８〜２１１）
前述したステップ１０７〜１１０と同様である。
【００８９】
第２の実施の形態によれば、第１の実施形態と同様の効果を得ることができる。このように、必要な床荷重情報から逆算して、床荷重情報に適用可能なデッキプレートの種類を絞り込むことで、デッキプレート種類選択手段において、不要なデッキプレートの種類の選択肢を一部省略して、デッキプレートの選択肢を少なくすることで、デッキプレートの選択が容易となる。
【００９０】
（第３の実施形態）
次に、第３の実施形態について説明する。図７は、第３の実施形態にかかる構造計算支援システム２０の動作を示すフローチャートである。第３の実施形態は、第１の実施形態及び第２の実施形態とほぼ同様であるが、梁とデッキプレートの一方ではなく、両者を床荷重情報によって選別する点で異なる。
【００９１】
（ステップ３０１）
前述したステップ１０１と同様である。
【００９２】
（ステップ３０２）
次に、制御部２３は、記憶部２５に記憶されている第１の適正床荷重情報を用いて、入力された床荷重情報に適用可能な梁の種類を絞り込む（梁選別手段）。前述したように、記憶部２５には、複数の梁の種類と、それぞれの梁の種類ごとに紐づけられた第１の適正床荷重情報が記憶されている。第１の適正床荷重情報は、梁の種類ごとに、その梁が適用可能な床荷重情報の範囲が設定されている。
【００９３】
（ステップ３０３）
次に、制御部２３は、記憶部２５に記憶されている適正デッキプレート種類情報を用いて、梁選別手段によって選択されたそれぞれの梁の種類に対して、それぞれ適用可能なデッキプレート種類を絞り込む（第１のデッキプレート選別手段）。
【００９４】
（ステップ３０４）
また、制御部２３は、記憶部２５に記憶されている第２の適正床荷重情報を用いて、入力された床荷重情報に適用可能なデッキプレートの種類を絞り込む（第２のデッキプレート選別手段）。前述したように、記憶部２５には、複数のデッキプレートの種類と、それぞれのデッキプレートの種類ごとに紐づけられた第２の適正床荷重情報が記憶されている。第２の適正床荷重情報は、デッキプレートの種類ごとに、そのデッキプレートが適用可能な床荷重情報の範囲が設定されている。
【００９５】
（ステップ３０５）
次に、梁選別手段で選別された梁の種類と、それぞれの梁の種類ごとに適用可能なデッキプレートの種類の中から、大梁とデッキプレートの組み合わせを選択する（梁およびデッキプレート種類選択手段）。それぞれの梁の種類ごとに適用可能なデッキプレートの種類は、前述した第１のデッキプレート選別手段と第２のデッキプレート選別手段とで共通して選別されたデッキプレートの種類に絞られる。例えば、利用者は、入力部３１によって、プルダウンなどから、梁の型番等を選択すると、その梁に対応したデッキプレートの種類がさらにプルダウンで表示されて選択することができる。
【００９６】
（ステップ３０６、３０７）
ステップ３０６、３０７は、ステップ２０６、２０７と同様である。
【００９７】
（ステップ３０８〜３１１）
前述したステップ１０７〜１１０と同様である。
【００９８】
第３の実施の形態によれば、第１の実施形態と同様の効果を得ることができる。このように、デッキプレートの選別を、梁の種類と床荷重情報との両方で絞り込むことで、より効率よくデッキプレートの種類の選択が可能となる。
【００９９】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【０１００】
１………デッキプレート
３………プレート
５………主鉄筋
７………副鉄筋
９………柱
１１………大梁
１３………小梁
１５………床スラブ
【図１】
2020126293.tif 000003
【図２】
2020126293.tif 000004
【図３】
2020126293.tif 000005
【図４】
2020126293.tif 000006
【図５】
2020126293.tif 000007
【図６】
2020126293.tif 000008
【図７】
2020126293.tif 000009